(57)【要約】【課題】  除霜ヒータと樋ヒータを別々に制御することによりヒータによる消費電力を低減し、経済化を図った冷蔵庫を提供する。【解決手段】  着霜検知信号に応じて除霜ヒータ２１と樋ヒータ３５に電力を供給して、冷却器１３および排水樋３１、排水管３３を加熱し、除霜完了信号に応じて除霜ヒータ２１への電力供給を停止するとともに、除霜ヒータ２１への電力供給停止後も樋ヒータ３５への電力供給を所定時間継続する。【選択図】        図５
2012167896.tif 000002
【特許請求の範囲】
【請求項１】
冷凍サイクルを構成する冷却器に付着した霜を加熱して除去する除霜ヒータと、
前記冷却器の下方に設けられ、冷却器から落下する水滴を受ける受取手段と、
この受取手段を加熱する受取手段ヒータと、
前記除霜ヒータに電力を供給して前記冷却器を加熱するように制御する第１のヒータ制御手段と、
前記受取手段ヒータに電力を供給して前記受取手段を加熱するように制御する第２のヒータ制御手段と
を有して、前記第１のヒータ制御手段が除霜ヒータへの電力供給を停止した後も前記第２のヒータ制御手段が受取手段ヒータへの電力供給を第１の時間だけ継続するように制御することを特徴とする冷蔵庫。
【請求項２】
冷凍サイクルを構成する冷却器に付着した霜を加熱して除去する除霜ヒータと、
前記冷却器の下方に設けられ、冷却器から落下する水滴を受ける受取手段と、
この受取手段を加熱する受取手段ヒータと、
前記除霜ヒータに電力を供給して前記冷却器を加熱するように制御する第１のヒータ制御手段と、
前記受取手段ヒータに電力を供給して前記受取手段を加熱するように制御する第２のヒータ制御手段と
を有して、前記第１のヒータ制御手段が除霜ヒータへの電力供給を開始して第２の時間が経過した後に、前記第２のヒータ制御手段が受取手段ヒータへの電力供給を開始して、前記第１のヒータ制御手段が除霜ヒータへの電力供給を停止した後も前記第２のヒータ制御手段が受取手段ヒータへの電力供給を第１の時間だけ継続するように制御することを特徴とする冷蔵庫。
【請求項３】
冷凍サイクルを構成する冷却器に付着した霜を加熱して除去する除霜ヒータと、
前記冷却器の下方に設けられ、冷却器から落下する水滴を受ける受取手段と、
この受取手段を加熱する受取手段ヒータと、
前記除霜ヒータに電力を供給して前記冷却器を加熱するように制御する第１のヒータ制御手段と、
前記受取手段ヒータに電力を供給して前記受取手段を加熱するように制御する第２のヒータ制御手段と
を有して、前記第２のヒータ制御手段が受取手段ヒータへの電力供給を開始して第２の時間が経過した後に、前記第１のヒータ制御手段が除霜ヒータへの電力供給を開始し、該第１のヒータ制御手段が除霜ヒータへの電力供給を停止した後も前記第２のヒータ制御手段が受取手段ヒータへの電力供給を第１の時間だけ継続するように制御することを特徴とする冷蔵庫。
【請求項４】
冷凍サイクルを構成する冷却器に付着した霜を加熱して除去する除霜ヒータと、
前記冷却器の下方に設けられ、冷却器から落下する水滴を受ける受取手段と、
この受取手段を加熱する受取手段ヒータと、
前記除霜ヒータに電力を供給して前記冷却器を加熱するように制御する第１のヒータ制御手段と、
前記受取手段ヒータに電力を供給して前記受取手段を断続的に加熱するように制御する第２のヒータ制御手段と
を有して、前記第１のヒータ制御手段が除霜ヒータへの電力供給を停止した後も前記第２のヒータ制御手段が受取手段ヒータへの電力供給を第１の時間だけ断続的な給電を継続するように制御することを特徴とする冷蔵庫。
【請求項５】
冷凍サイクルを構成する冷却器に付着した霜を加熱して除去する除霜ヒータと、
前記冷却器の下方に設けられ、冷却器から落下する水滴を受ける受取手段と、
この受取手段を加熱する受取手段ヒータと、
前記除霜ヒータに電力を供給して前記冷却器を加熱するように制御する第１のヒータ制御手段と、
前記受取手段ヒータに電力を供給して前記受取手段を加熱するように制御する第２のヒータ制御手段と
を有して、前記第２のヒータ制御手段が受取手段ヒータへの断続的な電力供給を開始して第２の時間が経過した後に、前記第１のヒータ制御手段が除霜ヒータへの電力供給を開始したときに、前記第２のヒータ制御手段は受取手段ヒータへの電力供給を連続的に変更し、前記第１のヒータ制御手段が除霜ヒータへの電力供給を停止した後も前記第２のヒータ制御手段が受取手段ヒータへの電力供給を第１の時間だけ連続して継続するように制御することを特徴とする冷蔵庫。
【請求項６】
冷凍サイクルを構成する冷却器に付着した霜を加熱して除去する除霜ヒータと、
前記冷却器の下方に設けられ、冷却器から落下する水滴を受ける受取手段と、
この受取手段を加熱する受取手段ヒータと、
前記除霜ヒータに電力を供給して前記冷却器を加熱するように制御する第１のヒータ制御手段と、
前記受取手段ヒータに電力を供給して前記受取手段を加熱するように制御する第２のヒータ制御手段と
を有して、前記第１のヒータ制御手段が除霜ヒータへの電力を供給している間は前記第２のヒータ制御手段は受取手段ヒータへの電力を断続的に供給し、前記第１のヒータ制御手段が除霜ヒータへの電力供給を停止した後は前記第２のヒータ制御手段は受取手段ヒータへの電力供給を第１の時間だけ連続して継続するように制御することを特徴とする冷蔵庫。
【請求項７】
冷凍サイクルを構成する冷却器に付着した霜を加熱して除去する除霜ヒータと、
前記冷却器の下方に設けられ、冷却器から落下する水滴を受ける受取手段と、
この受取手段を加熱する受取手段ヒータと、
前記除霜ヒータに電力を供給して前記冷却器を加熱するように制御する第１のヒータ制御手段と、
前記受取手段ヒータに電力を供給して前記受取手段を加熱するように制御する第２のヒータ制御手段と
を有して、前記第１のヒータ制御手段が除霜ヒータへの電力供給を停止した後も前記第２のヒータ制御手段が受取手段ヒータへの電力供給を第１の時間だけ断続的に継続するように制御することを特徴とする冷蔵庫。
【発明の詳細な説明】
【技術分野】
【０００１】
本発明の実施形態は、冷却器に付着した霜をヒータで除霜する冷蔵庫に関する。
【背景技術】
【０００２】
冷蔵庫では、冷凍サイクルを構成する冷却器が低温になると、冷却器の外周面に霜が付着するが、この冷却器への霜の付着により、冷却器の冷却能力が低下することが知られる。従って、このように冷却器に付着した霜を除去（除霜）することが冷蔵庫の性能向上のためには重要であり、このような霜の除霜のために、冷却器に除霜ヒータが設けられ、この除霜ヒータで冷却器に付着した霜を融解して除霜するようにしている。
【０００３】
また、この冷却器に付着した霜を除霜ヒータで融解すると、この霜を融解した水滴が冷却器から下方に落下するので、この冷却器から落下した水滴を受け取って排水する排水樋が冷却器の下側に設けられている。この排水樋は冷却器に近い場所にあることから低温であり、そのため排水樋に落下した水滴も排水される際に凍ってしまう。従って、このように排水樋に落下した融解水の凍結を防止するために、排水樋に樋ヒータを設け、この樋ヒータで排水樋に落下した融解水の凍結を防止している。
【先行技術文献】
【特許文献】
【０００４】
【特許文献１】特開２０１０−１３９２０６号公報
【特許文献２】特開２００７−３１５７１５号公報
【特許文献３】特開２００２−１７４４８３号公報
【発明の概要】
【発明が解決しようとする課題】
【０００５】
上述したように、冷却器に付着した霜を融解して除霜するために除霜ヒータを設けるとともに、この融解で冷却器から排水樋に落下した融解水の凍結を防止するために樋ヒータを設けているが、従来は、冷却器の除霜開始から排水樋からの融解水の排水または排除完了まで除霜ヒータおよび樋ヒータの両ヒータに同時に通電しつづけているため、電力が無駄に消費される可能性があり、その場合には非経済的である。
【０００６】
本発明は、上記に鑑みてなされたもので、その目的とするところは、除霜ヒータと樋ヒータとを個々に制御することによりヒータによる消費電力の低減を図った冷蔵庫を提供することにある。
【課題を解決するための手段】
【０００７】
請求項１記載の冷蔵庫は、着霜検知信号に応じて除霜ヒータと受取手段ヒータに電力を供給して、冷却器および受取手段を加熱し、除霜完了信号に応じて除霜ヒータへの電力供給を停止するとともに、除霜ヒータへの電力供給停止後も受取手段ヒータへの電力供給を所定時間継続する。
【図面の簡単な説明】
【０００８】
【図１】本発明の一実施形態に係わる冷蔵庫の側方から見た縦断面図である。
【図２】図１に示す冷蔵庫に使用されている冷却器を示す斜視図である。
【図３】図１に示す冷蔵庫の制御系の電気回路構成を示すブロック図である。
【図４】図１に示す冷蔵庫における各部の入力電力および温度を示すグラフである。
【図５】図１に示す冷蔵庫の第１の具体的作用を示すタイミングチャートである。
【図６】図１に示す冷蔵庫の第２の具体的作用を示すタイミングチャートである。
【図７】図１に示す冷蔵庫の第３の具体的作用を示すタイミングチャートである。
【図８】図１に示す冷蔵庫の第４の具体的作用を示すタイミングチャートである。
【図９】図１に示す冷蔵庫の第５の具体的作用を示すタイミングチャートである。
【図１０】図１に示す冷蔵庫の第６の具体的作用を示すタイミングチャートである。
【図１１】図１に示す冷蔵庫の第７の具体的作用を示すタイミングチャートである。
【発明を実施するための形態】
【０００９】
以下、図面を用いて、本発明を実施するための形態(以下、実施形態と称する)を説明する。
【００１０】
図１は、本発明の一実施形態に係わる冷蔵庫の側方から見た縦断面図であり、向かって左側が冷蔵庫の前部であり、向かって右側が後部である。同図に示す冷蔵庫１は、その最上部に冷蔵物を冷蔵する冷蔵室３が設けられ、この冷蔵室３の直下には製氷室７、この直下の最下部には冷凍室９が設けられている。
【００１１】
また、冷凍室９の後方背面側には、冷却器１３が設けられるとともに、冷蔵庫１の後方背面側の最下部には、圧縮機などを格納する機械室１５が設けられている。
【００１２】
冷却器１３は、図２に拡大して示すように、多数の冷却フィン１３ａで構成されている。この多数の冷却フィン１３ａに付着した霜を融解するために、この冷却器１３に対して、適宜、除霜ヒータ２１が設けられている。この除霜ヒータ２１に除霜ケーブル２１ａを介して電力を供給して、発熱させると、この除霜ヒータ２１の熱により冷却器１３に付着した霜が融解される。
【００１３】
なお、除霜ヒータ２１は、例えばパイプヒータで構成されるが、これに限らずガラス管ヒータなどでもよいし、また除霜ヒータ２１は、冷却器１３に対して接触または近接して配設されるものであるが、いずれにしろ除霜ヒータ２１で冷却器１３の除霜を行えればよいものである。
【００１４】
また、冷却器１３に対しては、図２に示すように、冷却器１３に付着する霜の状態、すなわち冷却器１３の着霜状態を検知する着霜検知センサであるＦＤセンサ２３が設けられている。
【００１５】
このＦＤセンサ２３は、冷却器１３に霜が付着したか否か、冷却器１３に霜が付着し始めたか否か、冷却器１３に付着した霜が融解したか否かなどを検知する。すなわち、冷却器１３に霜が付着したこと又は霜が付着し始めたことを検知した場合には、この冷却器１３に霜が付着したことを示す着霜検知信号を出力し、また冷却器１３に付着した霜が完全に融解して除霜が完了した場合には、着霜無信号または除霜完了信号を出力する。なお、本実施形態では、着霜検知信号および除霜完了信号を使用して、以下の説明を行う。
【００１６】
なお、ＦＤセンサ２３は、冷却器１３に対して接触または近接して配設されるものであるが、いずれにしろ要はＦＤセンサ２３で冷却器１３の着霜状態を検出でき、これにより着霜検知信号および除霜完了信号を出力できればよいものである。
【００１７】
更に、図２に示すように、冷却器１３の下方には、排水樋３１が配設されている。この排水樋３１は、冷却器１３に付着した霜が除霜ヒータ２１からの熱で融解して落下する水滴若しくは冷却フィン１３ａから離脱した霜の塊を受けるものである。また、排水樋３１には、その底面にアルミニウム製などの排水管３３が取り付けられている。この排水管３３から、冷却器１３の霜が融解し、滴下して排水樋３１で受けた水が排水されるようになっている。
【００１８】
なお、排水樋３１で受けた水は、排水管３３を通って外部に排水されてもよいが、排水管３３を通った後、図示しない方法で蒸発させられて除去されてもよいし、また排水管３３を通りながら図示しない方法で蒸発させられて除去されてもよいし、または排水樋３１において図示しない方法で蒸発させられて除去されてもよい。つまり、少なくとも排水樋３１は、受取手段を構成するが、排水管３３を含めることも構わないものである。
【００１９】
また、排水樋３１に対しては、図２に示すように、受取手段ヒータを構成する樋ヒータ３５が取り付けられているが、この樋ヒータ３５に電力を供給して、発熱させると、この樋ヒータ３５の熱により排水樋３１で受け取った冷却器１３からの水が排水樋３１で凍結することを防止し、水の状態で排水管３３から排水し得るようになっている。すなわち、排水樋３１は、冷却器１３の近くに設けられているものであるため、冷却器１３の低温の影響などにより排水樋３１および排出管３３は零度以下の低温になるが、このような低温になっている排水樋３１で受け取った冷却器１３からの融解水は、そのままの状態では凍結し、排水管３３から排水することができない場合も想定される。そこで、このような排水樋３１での凍結を防止するために、樋ヒータ３５が設けられている。なお、樋ヒータ３５は、排水樋３１に対して接触または近接して配設されるものであるが、いずれにしろ要は樋ヒータ３５で排水樋３１内の水の凍結を防止し、この凍結を防止された水が排出管３３から排水できればよいものである。
【００２０】
図３は、上述したように、図２で説明した除霜ヒータ２１、樋ヒータ３５、ＦＤセンサ２３、およびこれらを制御する制御部４１の電気的回路構成を示すブロック図である。
【００２１】
制御部４１は、少なくとも第１のヒータ制御手段４１ａと第２のヒータ制御手段４１ｂ及びこれらを関連させた制御を可能とする図示しないヒータ制御手段と、後述する第１の時間と第２の時間を計時する図示しないタイマ等を含むものである。
【００２２】
制御部４１は、ＦＤセンサ２３から出力される上述した着霜検知信号および除霜完了信号を受け取り、これらの着霜検知信号および除霜完了信号に応じて除霜ヒータ２１に対して電力を連続して、或いは断続して供給したり、または電力の供給を停止するなどの制御を行うとともに、樋ヒータ３５に対して電力を連続して、或いは断続して供給したり、または電力の供給を停止するなどの制御を行うというように除霜ヒータ２１および樋ヒータ３５を個別に制御し、冷却器１３に対する除霜処理を効率的かつ経済的に行う。
【００２３】
図４は、上述したように構成される実施形態の冷蔵庫１における各部の入力電力および温度を示すグラフであり、横軸に時間（ｈ）、左の縦軸に温度（゜Ｃ）、右の縦軸に入力電力（Ｗ）を示している。同図において、実線で示す曲線Ａは、前記ＦＤセンサ２３で検知した冷却器１３の外周面または外周面に近接した場所の温度、すなわち冷却器１３の着霜状態を示す温度を示すものであり、点線で示す曲線Ｂは、排水管３３の温度を示すものであり、一点鎖線で示す曲線Ｃは、除霜ヒータ２１および樋ヒータ３５の両方に供給される入力電力の和を示すものである。
【００２４】
図４において、曲線Ａで示すように、ＦＤセンサ２３で検知される冷却器１３の着霜状態を示す温度は、時刻ｔ０では、２０゜Ｃに近い約１９゜Ｃであり、その後も約１時間過ぎ程度までは２０゜Ｃ近辺を中心に上下しているが、その後、低下し始め、約２時間が過ぎて、時刻ｔ３になると、約マイナス３０゜Ｃになり、更にマイナス３０゜Ｃ以下に低下しようとするが、このようにマイナス３０゜Ｃになり、マイナス３０゜Ｃ以下に低下しようとすると、ＦＤセンサ２３は、着霜が発生したと判定して、着霜検知信号を制御部４１に出力する。
【００２５】
制御部４１は、ＦＤセンサ２３から着霜検知信号を受け取ると、この着想検知信号に応じて除霜ヒータ２１に電力を供給する。この結果、除霜ヒータ２１への入力電力は、図４の曲線Ｃで示すように、時刻ｔ３で１００Ｗまで急激に上昇し、これにより除霜ヒータ２１は、発熱し、冷却器１３に付着した霜を融解し始める。この結果、曲線Ａで示すように、ＦＤセンサ２３で検知される冷却器１３の着霜状態を示す温度は、霜の融解とともに上昇し始め、時刻ｔ４の頃には、約１０゜Ｃ程度まで上昇する。ＦＤセンサ２３は、この温度を検知すると、冷却器１３に付着していた霜は完全に除去されたものと判定し、すなわち除霜が完了したものと判定し、除霜完了信号を制御部４１に出力する。
【００２６】
なお、ＦＤセンサ２３が着霜検知信号を出力する前の、時刻ｔ２から時刻ｔ３までの所定時間の間は、制御部４１の制御により、樋ヒータ３５に約３０Ｗ程度の電力が供給されていて、これにより排水樋３１および排水管３３の水が凍結しないようになっている。この樋ヒータ３５に対する電力供給は、上述したように、着霜検知信号に応じて制御部４１から除霜ヒータ２１に供給された１００Ｗの入力電力の中にも含まれているものである。すなわち、樋ヒータ３５は、除霜ヒータ２１に電力が供給されている間も電力を供給され、排水樋３１および排水管３３の凍結を防止しているものである。
【００２７】
また、時刻ｔ２よりも前の時刻ｔ１から時刻ｔ２までの間は、除霜ヒータ２１よび樋ヒータ３５に対する電力の供給は、完全に停止している。なお、ＦＤセンサ２３が着霜検知信号を出力する前の、時刻ｔ２から時刻ｔ３までの間では、樋ヒータ３５に電力を供給する以外に、除霜ヒータ２１にも僅かな電力を供給し、予備加熱しておいてもよい。
【００２８】
上述したように、制御部４１は、時刻ｔ４でＦＤセンサ２３から除霜完了信号を受け取ると、除霜ヒータ２１への電力の供給を停止する。この結果、図４の時刻ｔ４に示すように、除霜ヒータ２１への入力電力は、曲線Ｃで示すように約２０Ｗまで急激に低下する。しかしながら、樋ヒータ３５に対する電力の供給は、更に時刻ｔ５までの所定時間の間、継続され、排水樋３１および排水管３３に霜の融解で冷却器１３から落下した水の凍結を防止するとともに、この水の排水管３３からの排水を可能としている。そして、時刻ｔ５から時刻ｔ６までの間は、除霜ヒータ２１および樋ヒータ３５への電力の供給は、完全に停止されるが、時刻ｔ６になると、樋ヒータ３５に対する電力供給が再開される。
【００２９】
また、時刻ｔ４で除霜ヒータ２１への電力供給が停止されると、ＦＤセンサ２３で検知される冷却器１３の温度、すなわち冷却器１３の着霜状態を示す温度は、曲線Ａで示すように、約１０゜Ｃから徐々に低下し、時刻ｔ５では約５゜Ｃとなり、その後更に徐々に低下する。
【００３０】
なお、曲線Ｂは、排水管３３の温度を示しているが、この排水管３３の温度は、曲線Ａで示すＦＤセンサ２３で検知される冷却器１３の温度、すなわち冷却器１３の着霜状態を示す温度よりも少し高い状態にあるが、曲線Ａとほぼ同じ傾向で推移している。
【００３１】
次に、図５乃至図１１に示す除霜ヒータ２１および樋ヒータ３５への入力電力の供給状態を示すタイミングチャートを参照して、種々の具体的な制御方法及びその作用について説明する。図中、横軸は時間軸であり、縦軸はそれぞれ除霜ヒータ２１への入力電力、樋ヒータ３５への入力電力であり、除霜ヒータ２１への入力電力の方が樋ヒータ３５への入力電力より大であることも示される。なお、横軸の単位時間は、図面毎に独立しても良く、同一であっても良い。すなわち、例えば図５に示す時刻Ｔ１と、図６に示す時刻Ｔ１は同一で無くても良い。
【００３２】
まず、図５に示すタイミングチャートを参照して、第１の具体的作用について説明する。
【００３３】
この図５では、ＦＤセンサ２３から着霜検知信号が出力されると、制御部４１の第１のヒータ制御手段４１ａの制御により冷却器を加熱する除霜ヒータ２１および第２のヒータ制御手段４１ｂの制御により冷却器から落下する水滴を受ける受取手段としての排水樋３１と排水管３３を加熱する樋ヒータ３５の両方に時刻Ｔ０で同時に入力電力が供給され、両ヒータ（除霜ヒータ２１と樋ヒータ３５）は発熱し、加熱する。すなわち、それぞれ冷却器１３および排水樋３１、排水管３３を加熱し、冷却器１３に対する除霜を行うとともに、排水樋３１、排水管３３における凍結防止を行う。
【００３４】
それから、時刻Ｔ１でＦＤセンサ２３から除霜完了信号が出力されると、制御部４１の制御により除霜ヒータ２１への入力電力の供給は、停止されるが、樋ヒータ３５への入力電力の供給は第１の時間だけ継続される。この樋ヒータ３５への入力電力の供給は、排水樋３１に冷却器１３から落下した水が排水管３３から完全に排水される時刻Ｔ２までの所定時間行われる。なお、従来は、この所定時間の間は、除霜ヒータ２１にも入力電力が供給され、両ヒータは同時に発熱していたものであるが、本実施形態では、この所定時間（時刻Ｔ１−時刻Ｔ２）の分の省エネ効果を達成しているものである。
【００３５】
次に、図６に示すタイミングチャートを参照して、第２の具体的作用について説明する。
【００３６】
この図６では、ＦＤセンサ２３から着霜検知信号が出力されると、制御部４１の第１のヒータ制御手段４１ａの制御により冷却器を加熱する除霜ヒータ２１に時刻Ｔ０で入力電力が供給され、除霜ヒータ２１は発熱して、冷却器１３を加熱され、除霜される。この時刻Ｔ０から所定時間（第２の時間）の間は、樋ヒータ３５に入力電力は供給されない。すなわち、除霜ヒータ２１に入力電力が供給された直後は、まだ冷却器１３の除霜が始まったばかりであって、霜が解氷されて生じる水、除霜水が排水樋３１に落下していないからである。
【００３７】
従来は、この所定時間の間も樋ヒータ３５に入力電力が供給されていたものであったが、本実施形態では、この所定時間の分の省エネ効果も達成しているものである。
【００３８】
それから、時刻Ｔ０から第２の時間が経過して時刻Ｔ１になると、冷却器１３から除霜水が排水樋３１に落下し始める。この時刻Ｔ１では樋ヒータ３５に入力電力が供給され、樋ヒータ３５は発熱し、排水樋３１および排水管３３は加熱される。これにより排水樋３１に冷却器１３から落下した除霜水の凍結を防止するとともに、この除霜水の排水管３３からの排水を可能とする。
【００３９】
次に、時刻Ｔ２でＦＤセンサ２３から除霜完了信号が出力されると、制御部４１の制御により除霜ヒータ２１への入力電力の供給は、停止されるが、樋ヒータ３５への入力電力の供給は継続される。この樋ヒータ３５への入力電力の供給は、排水樋３１に冷却器１３から落下した除霜水が排水管３３から完全に排水される時刻Ｔ３までの第１の時間だけ行われる。なお、従来は、この第１の時間の間は、除霜ヒータ２１にも入力電力が供給され、両ヒータは同時に発熱していたものであるが、本実施形態では、この第１の時間の分の省エネ効果を達成しているものである。
【００４０】
次に、図７に示すタイミングチャートを参照して、第３の具体的作用について説明する。
【００４１】
この図７では、ＦＤセンサ２３から着霜検知信号が出力されると、制御部４１の制御により樋ヒータ３５に時刻Ｔ０で入力電力が供給され、樋ヒータ３５を発熱し、排水樋３１、排水管３３を加熱し、排水樋３１、排水管３３における凍結防止を行う。
【００４２】
それから、時刻Ｔ０から所定時間が経って、時刻Ｔ１になり、樋ヒータ３５により排水樋３１、排水管３３が適度に加熱され、冷却器１３から融解水が排水樋３１に落下しても凍結しない所定時刻が経過すると、制御部４１により除霜ヒータ２１に入力電力が供給され、除霜ヒータ２１は発熱し、冷却器１３を加熱し、冷却器１３に対する除霜を行う。
【００４３】
次に、時刻Ｔ２でＦＤセンサ２３から除霜完了信号が出力されると、制御部４１の制御により除霜ヒータ２１への入力電力の供給は、停止されるが、樋ヒータ３５への入力電力の供給は継続される。この樋ヒータ３５への入力電力の供給は、排水樋３１に冷却器１３から落下した水が排水管３３から完全に排水される時刻Ｔ３までの所定時間行われる。なお、従来は、この所定時間の間は、除霜ヒータ２１にも入力電力が供給され、両ヒータは同時に発熱していたものであるが、本実施形態では、この所定時間の分の省エネ効果を達成しているものである。
【００４４】
次に、図８に示すタイミングチャートを参照して、第４の具体的作用について説明する。
【００４５】
この図８に示す処理は、上述した図５で説明した処理において樋ヒータ３５への入力電力の供給を断続的に行うように、すなわち樋ヒータ３５をオン―オフ制御するように制御部４１で制御した点が異なるものである。このように樋ヒータ３５への入力電力の供給を断続的に行うことにより、図５で説明した省エネ効果に加えて、樋ヒータ３５がオフである時間分、更に消費電力の低減がはかれ省エネ効果を達成することができると共により緩やかな加熱ができる。
【００４６】
次に、図９に示すタイミングチャートを参照して、第５の具体的作用について説明する。
【００４７】
この図９に示す処理は、上述した図７で説明した処理において樋ヒータ３５への入力電力の供給を時刻Ｔ０から時刻Ｔ１までの所定時間、断続的に行うように、すなわち樋ヒータ３５を時刻Ｔ０から時刻Ｔ１までの所定時間オン―オフ制御するように制御部４１で制御した点が異なるものである。このように樋ヒータ３５への入力電力の供給を断続的に行うことにより、図７で説明した省エネ効果に加えて、樋ヒータ３５がオフである時間分、更に消費電力の低減がはかれ省エネ効果を達成することができると共により緩やかな加熱ができる。
【００４８】
次に、図１０に示すタイミングチャートを参照して、第６の具体的作用について説明する。
【００４９】
この図１０に示す処理は、上述した図５で説明した処理において除霜ヒータ２１に入力電力が供給されている間のみ、樋ヒータ３５への入力電力の供給を断続的に行うように、すなわち樋ヒータ３５をオン―オフ制御するように制御部４１で制御した点が異なるものである。このように樋ヒータ３５への入力電力の供給を断続的に行うことにより、図５で説明した省エネ効果に加えて、樋ヒータ３５がオフである時間分、更に消費電力の低減がはかれ省エネ効果を達成することができると共により緩やかな加熱ができる。
【００５０】
次に、図１１に示すタイミングチャートを参照して、第７の具体的作用について説明する。
【００５１】
この図１１に示す処理は、上述した図５で説明した処理において除霜ヒータ２１への入力電力の供給を停止した後の時刻Ｔ１から時刻Ｔ２の所定時間の間、樋ヒータ３５への入力電力の供給を断続的に行うように、すなわち樋ヒータ３５をオン―オフ制御するように制御部４１で制御した点が異なるものである。このように樋ヒータ３５への入力電力の供給を断続的に行うことにより、図５で説明した省エネ効果に加えて、樋ヒータ３５がオフである時間分、更に省エネ効果を達成することができる。
【００５２】
なお、上記実施形態では、ＦＤセンサ２３は、冷却器１３の着霜状態を検出し、これにより着霜検知信号および除霜完了信号を出力し、制御部４１は、この着霜検知信号および除霜完了信号により除霜ヒータ２１および樋ヒータ３５への電力の供給および供給停止を制御しているが、これに限定されるものでなく、ＦＤセンサ２３は、単に冷却器１３の外周面または近傍の温度を検知し、この検知した温度を制御部４１に供給し、制御部４１は、この検知温度に基づいて冷却器１３の着霜状態および着霜完了状態などを判定し、この判定結果に基づいて除霜ヒータ２１および樋ヒータ３５への電力の供給および供給停止を制御してもよいものである。
【００５３】
なお、実施形態は例示であり、発明の範囲はそれらに限定されない。
【符号の説明】
【００５４】
１  冷蔵庫
３  冷蔵室
９  冷凍室
１３  冷却器
１３ａ  冷却フィン
２１  除霜ヒータ
２３  ＦＤセンサ
３１  排水樋
３３  排水管
３５  樋ヒータ
４１  制御部
【図１】
2012167896.tif 000003
【図２】
2012167896.tif 000004
【図３】
2012167896.tif 000005
【図４】
2012167896.tif 000006
【図５】
2012167896.tif 000007
【図６】
2012167896.tif 000008
【図７】
2012167896.tif 000009
【図８】
2012167896.tif 000010
【図９】
2012167896.tif 000011
【図１０】
2012167896.tif 000012
【図１１】
2012167896.tif 000013